(57)【要約】【課題】既存のサービスレベルでのアクセス規制などを用いつつ、アプリケーション単位のアクセス規制に近い、より柔軟なアクセス規制を実現し得るユーザ装置及び通信方法を提供する。【解決手段】UE100のRRCレイヤ110は、アクセス規制の起動指令を移動通信ネットワークから受信し、ESSACスタック151は、RRCレイヤ110から取得した規制条件に基づいて、オペレータ提供サービス130による発信を許可する場合、許可フラグが追加された当該サービスが発信する発信データをNASレイヤ120に受け渡し、NASレイヤ120は、許可フラグが追加されている場合、発信データのアクセス規制の有無を確認することなく、発信データをRRCレイヤ110に受け渡す。また、許可フラグが追加されていない発信データを受け取った場合、ESSACスタック152は、RRCレイヤ110から取得した規制条件に基づいて、当該発信データを許可する場合、当該発信データをRRCレイヤ110に受け渡す。【選択図】図１
2015015562.tif 000002
【特許請求の範囲】
【請求項１】
無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部とを備えるユーザ装置であって、
前記無線リソース制御レイヤは、前記アクセス規制の適用時間を示すタイマ値と、前記発信データの規制率とを含む前記アクセス規制の起動指令を前記移動通信ネットワークから受信し、
前記サービスアクセス制御部は、
前記所定サービスからの要求に応じて前記所定サービスの規制条件を前記無線リソース制御レイヤから取得し、
取得した前記規制条件に基づいて、前記所定サービスによる発信を許可する場合、許可フラグが追加された前記所定サービスが発信する発信データを前記非アクセスストラタムレイヤに受け渡し、
前記非アクセスストラタムレイヤは、前記許可フラグが追加されている場合、前記発信データのアクセス規制の有無を確認することなく、前記発信データを前記無線リソース制御レイヤに受け渡すユーザ装置。
【請求項２】
無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置であって、
前記無線リソース制御レイヤは、前記アクセス規制の適用時間を示すタイマ値と、前記発信データの規制率とを含む前記アクセス規制の起動指令を前記移動通信ネットワークから受信し、
前記サービスアクセス制御部は、
前記一般アプリケーションからの要求に応じて前記一般アプリケーションの規制条件を前記無線リソース制御レイヤから取得し、
取得した前記規制条件に基づいて前記一般アプリケーションによる発信を許可する場合、前記発信データを前記無線リソース制御レイヤに受け渡すユーザ装置。
【請求項３】
無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部とを備えるユーザ装置であって、
前記非アクセスストラタムレイヤは、前記アクセス規制のポリシーを示す管理オブジェクトを前記移動通信ネットワークから受信し、
前記無線リソース制御レイヤは、前記管理オブジェクトの適用範囲を示すポリシー番号と、前記アクセス規制の適用時間を示すタイマ値とを含む前記アクセス規制の起動指令を前記移動通信ネットワークから受信し、
前記サービスアクセス制御部は、
前記所定サービスからの要求に応じて前記所定サービスの規制条件を前記非アクセスストラタムレイヤに問い合わせ、
前記非アクセスストラタムレイヤが前記無線リソース制御レイヤから取得した前記規制条件と、前記管理オブジェクトに含まれる前記アクセス規制のポリシーとに基づいて、前記所定サービスの規制内容を決定し、
取得した前記規制内容に基づいて、前記所定サービスによる発信を許可する場合、許可フラグが追加された前記所定サービスが発信する発信データを前記非アクセスストラタムレイヤに受け渡し、
前記非アクセスストラタムレイヤは、前記許可フラグが追加されている場合、前記発信データのアクセス規制の有無を確認することなく、前記発信データを前記無線リソース制御レイヤに受け渡すユーザ装置。
【請求項４】
無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置であって、
前記非アクセスストラタムレイヤは、前記アクセス規制のポリシーを示す管理オブジェクトを前記移動通信ネットワークから受信し、
前記無線リソース制御レイヤは、前記管理オブジェクトの適用範囲を示すポリシー番号と、前記アクセス規制の適用時間を示すタイマ値とを含む前記アクセス規制の起動指令を前記移動通信ネットワークから受信し、
前記サービスアクセス制御部は、
前記一般アプリケーションからの要求に応じて前記一般アプリケーションの規制条件を前記無線リソース制御レイヤから取得し、
取得した前記規制条件と、前記管理オブジェクトに含まれる前記アクセス規制のポリシーとに基づいて、前記一般アプリケーションの規制内容を決定し、
取得した前記規制条件に基づいて前記一般アプリケーションによる発信を許可する場合、前記発信データを前記無線リソース制御レイヤに受け渡すユーザ装置。
【請求項５】
前記無線リソース制御レイヤは、前記規制条件の取得要求に基づいて、前記アクセス規制と異なる他のアクセス規制を無効にする請求項１乃至４の何れか一項に記載のユーザ装置。
【請求項６】
前記起動指令は、前記他のアクセス規制の無効の必要性を示す情報要素を含む請求項５に記載のユーザ装置。
【請求項７】
前記管理オブジェクトは、前記ポリシー番号と、前記ポリシーの属性と、前記アクセス規制の条件とを含む請求項３または４に記載のユーザ装置。
【請求項８】
無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部を備えるユーザ装置における通信方法であって、
前記無線リソース制御レイヤが、前記アクセス規制の適用時間を示すタイマ値と、前記発信データの規制率とを含む前記アクセス規制の起動指令を前記移動通信ネットワークから受信するステップと、
前記サービスアクセス制御部が、前記所定サービスからの要求に応じて前記所定サービスの規制条件を前記無線リソース制御レイヤから取得するステップと、
前記サービスアクセス制御部が、取得した前記規制条件に基づいて、前記所定サービスによる発信を許可する場合、許可フラグが追加された前記所定サービスが発信する発信データを前記非アクセスストラタムレイヤに受け渡すステップと、
前記非アクセスストラタムレイヤが、前記許可フラグが追加されている場合、前記発信データのアクセス規制の有無を確認することなく、前記発信データを前記無線リソース制御レイヤに受け渡すステップと
を備える通信方法。
【請求項９】
無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置における通信方法であって、
前記無線リソース制御レイヤが、前記アクセス規制の適用時間を示すタイマ値と、前記発信データの規制率とを含む前記アクセス規制の起動指令を前記移動通信ネットワークから受信するステップと、
前記サービスアクセス制御部が、前記一般アプリケーションからの要求に応じて前記一般アプリケーションの規制条件を前記無線リソース制御レイヤから取得するステップと、
前記サービスアクセス制御部が、取得した前記規制条件に基づいて前記一般アプリケーションによる発信を許可する場合、前記発信データを前記無線リソース制御レイヤに受け渡すステップと
を備える通信方法。
【請求項１０】
無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部とを備えるユーザ装置における通信方法であって、
前記非アクセスストラタムレイヤは、前記アクセス規制のポリシーを示す管理オブジェクトを前記移動通信ネットワークから受信するステップと、
前記無線リソース制御レイヤが、前記管理オブジェクトの適用範囲を示すポリシー番号と、前記アクセス規制の適用時間を示すタイマ値とを含む前記アクセス規制の起動指令を前記移動通信ネットワークから受信するステップと、
前記サービスアクセス制御部が、前記所定サービスからの要求に応じて前記所定サービスの規制条件を前記非アクセスストラタムレイヤに問い合わせるステップと、
前記サービスアクセス制御部が、前記非アクセスストラタムレイヤが前記無線リソース制御レイヤから取得した前記規制条件と、前記管理オブジェクトに含まれる前記アクセス規制のポリシーとに基づいて、前記所定サービスの規制内容を決定するステップと、
前記サービスアクセス制御部が、取得した前記規制内容に基づいて、前記所定サービスによる発信を許可する場合、許可フラグが追加された前記所定サービスが発信する発信データを前記非アクセスストラタムレイヤに受け渡すステップと、
前記非アクセスストラタムレイヤが、前記許可フラグが追加されている場合、前記発信データのアクセス規制の有無を確認することなく、前記発信データを前記無線リソース制御レイヤに受け渡すステップと
を備える通信方法。
【請求項１１】
無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置における通信方法であって、
前記非アクセスストラタムレイヤが、前記アクセス規制のポリシーを示す管理オブジェクトを前記移動通信ネットワークから受信するステップと、
前記無線リソース制御レイヤが、前記管理オブジェクトの適用範囲を示すポリシー番号と、前記アクセス規制の適用時間を示すタイマ値とを含む前記アクセス規制の起動指令を前記移動通信ネットワークから受信するステップと、
前記サービスアクセス制御部が、前記一般アプリケーションからの要求に応じて前記一般アプリケーションの規制条件を前記無線リソース制御レイヤから取得するステップと、
前記サービスアクセス制御部が、取得した前記規制条件と、前記管理オブジェクトに含まれる前記アクセス規制のポリシーとに基づいて、前記一般アプリケーションの規制内容を決定するステップと、
前記サービスアクセス制御部が、取得した前記規制条件に基づいて前記一般アプリケーションによる発信を許可する場合、前記発信データを前記無線リソース制御レイヤに受け渡すステップと
を備える通信方法。
【発明の詳細な説明】
【技術分野】
【０００１】
本発明は、サービスやアプリケーションが発信する発信データの移動通信ネットワークへのアクセス規制を制御するサービスアクセス制御部を備えるユーザ装置及び通信方法に関する。
【背景技術】
【０００２】
従来、3rd Generation Partnership Project（3GPP）において規定されている3GやLong Term Evolution（LTE）では、移動通信ネットワークでの輻輳を回避する技術として、アクセス規制（AC）が用いられている。このようなアクセス規制として、ユーザ装置（UE）に対して、特定の通信に限定することなく全ての種類の通信を規制するAccess Class Barring（ACB）が広く知られている。また、UEに対して、特定のサービス（例えば、音声通話やＴＶ電話）を規制するService Specific Access Control（SSAC）も規定されている（例えば、非特許文献１）。
【０００３】
さらに、UEに対して、特定のアプリケーション（例えば、電子メールやウェブブラウジング）を規制したり、特定のサービス（例えば、音声通話やＴＶ電話、或いは災害用伝言板や災害用音声伝言）を許容したりするApplication and Service Access Control（ASAC）も、3GPPにおいて審議されてきた。
【先行技術文献】
【非特許文献】
【０００４】
【非特許文献１】3GPP TS22.011 V11.2.0, 3rd Generation Partnership Project; Technical Specification Group Services and System Aspects; Service accessibility (Release 11) Section 4.3.2：Service Specific Access Control、3GPP、2011年12月
【発明の概要】
【発明が解決しようとする課題】
【０００５】
しかしながら、上述したASACには、次のような問題があった。すなわち、ASACでは、アクセス規制の制御エンティティがオペレーティングシステム（OS）またはアプリケーションとなるため、より下位レイヤ（例えば、非アクセスストラタム（NAS））では対応できず、ユーザ装置の仕様を確定することが難しい問題があった。さらに、アプリケーションなどの上位レイヤにおいて不正なアクセス規制の制御エンティティがユーザ装置に実装されても、このような制御エンティティを排除することが難しい問題もあった。
【０００６】
そこで、本発明は、このような状況に鑑みてなされたものであり、既存のサービスレベルでのアクセス規制などを用いつつ、アプリケーション単位のアクセス規制に近い、より柔軟なアクセス規制を実現し得るユーザ装置及び通信方法の提供を目的とする。
【課題を解決するための手段】
【０００７】
本発明の第１の特徴は、無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部とを備えるユーザ装置であって、前記無線リソース制御レイヤは、前記アクセス規制の適用時間を示すタイマ値と、前記発信データの規制率とを含む前記アクセス規制の起動指令を前記移動通信ネットワークから受信し、前記サービスアクセス制御部は、前記所定サービスからの要求に応じて前記所定サービスの規制条件を前記無線リソース制御レイヤから取得し、取得した前記規制条件に基づいて、前記所定サービスによる発信を許可する場合、許可フラグが追加された前記所定サービスが発信する発信データを前記非アクセスストラタムレイヤに受け渡し、前記非アクセスストラタムレイヤは、前記許可フラグが追加されている場合、前記発信データのアクセス規制の有無を確認することなく、前記発信データを前記無線リソース制御レイヤに受け渡すことを要旨とする。
【０００８】
本発明の第２の特徴は、無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置であって、前記無線リソース制御レイヤは、前記アクセス規制の適用時間を示すタイマ値と、前記発信データの規制率とを含む前記アクセス規制の起動指令を前記移動通信ネットワークから受信し、前記サービスアクセス制御部は、前記一般アプリケーションからの要求に応じて前記一般アプリケーションの規制条件を前記無線リソース制御レイヤから取得し、取得した前記規制条件に基づいて前記一般アプリケーションによる発信を許可する場合、前記発信データを前記無線リソース制御レイヤに受け渡すことを要旨とする。
【０００９】
本発明の第３の特徴は、無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部とを備えるユーザ装置であって、前記非アクセスストラタムレイヤは、前記アクセス規制のポリシーを示す管理オブジェクトを前記移動通信ネットワークから受信し、前記無線リソース制御レイヤは、前記管理オブジェクトの適用範囲を示すポリシー番号と、前記アクセス規制の適用時間を示すタイマ値とを含む前記アクセス規制の起動指令を前記移動通信ネットワークから受信し、前記サービスアクセス制御部は、前記所定サービスからの要求に応じて前記所定サービスの規制条件を前記非アクセスストラタムレイヤに問い合わせ、前記非アクセスストラタムレイヤが前記無線リソース制御レイヤから取得した前記規制条件と、前記管理オブジェクトに含まれる前記アクセス規制のポリシーとに基づいて、前記所定サービスの規制内容を決定し、取得した前記規制内容に基づいて、前記所定サービスによる発信を許可する場合、許可フラグが追加された前記所定サービスが発信する発信データを前記非アクセスストラタムレイヤに受け渡し、前記非アクセスストラタムレイヤは、前記許可フラグが追加されている場合、前記発信データのアクセス規制の有無を確認することなく、前記発信データを前記無線リソース制御レイヤに受け渡すことを要旨とする。
【００１０】
本発明の第４の特徴は、無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置であって、前記非アクセスストラタムレイヤは、前記アクセス規制のポリシーを示す管理オブジェクトを前記移動通信ネットワークから受信し、前記無線リソース制御レイヤは、前記管理オブジェクトの適用範囲を示すポリシー番号と、前記アクセス規制の適用時間を示すタイマ値とを含む前記アクセス規制の起動指令を前記移動通信ネットワークから受信し、前記サービスアクセス制御部は、前記一般アプリケーションからの要求に応じて前記一般アプリケーションの規制条件を前記無線リソース制御レイヤから取得し、取得した前記規制条件と、前記管理オブジェクトに含まれる前記アクセス規制のポリシーとに基づいて、前記一般アプリケーションの規制内容を決定し、取得した前記規制条件に基づいて前記一般アプリケーションによる発信を許可する場合、前記発信データを前記無線リソース制御レイヤに受け渡すことを要旨とする。
【００１１】
本発明の第５の特徴は、無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部を備えるユーザ装置における通信方法であって、前記無線リソース制御レイヤが、前記アクセス規制の適用時間を示すタイマ値と、前記発信データの規制率とを含む前記アクセス規制の起動指令を前記移動通信ネットワークから受信するステップと、前記サービスアクセス制御部が、前記所定サービスからの要求に応じて前記所定サービスの規制条件を前記無線リソース制御レイヤから取得するステップと、前記サービスアクセス制御部が、取得した前記規制条件に基づいて、前記所定サービスによる発信を許可する場合、許可フラグが追加された前記所定サービスが発信する発信データを前記非アクセスストラタムレイヤに受け渡すステップと、前記非アクセスストラタムレイヤが、前記許可フラグが追加されている場合、前記発信データのアクセス規制の有無を確認することなく、前記発信データを前記無線リソース制御レイヤに受け渡すステップと
を備えることを要旨とする。
【００１２】
本発明の第６の特徴は、無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置における通信方法であって、前記無線リソース制御レイヤが、前記アクセス規制の適用時間を示すタイマ値と、前記発信データの規制率とを含む前記アクセス規制の起動指令を前記移動通信ネットワークから受信するステップと、
前記サービスアクセス制御部が、前記一般アプリケーションからの要求に応じて前記一般アプリケーションの規制条件を前記無線リソース制御レイヤから取得するステップと、前記サービスアクセス制御部が、取得した前記規制条件に基づいて前記一般アプリケーションによる発信を許可する場合、前記発信データを前記無線リソース制御レイヤに受け渡すステップとを備えることを要旨とする。
【００１３】
本発明の第７の特徴は、無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部とを備えるユーザ装置における通信方法であって、前記非アクセスストラタムレイヤは、前記アクセス規制のポリシーを示す管理オブジェクトを前記移動通信ネットワークから受信するステップと、前記無線リソース制御レイヤが、前記管理オブジェクトの適用範囲を示すポリシー番号と、前記アクセス規制の適用時間を示すタイマ値とを含む前記アクセス規制の起動指令を前記移動通信ネットワークから受信するステップと、前記サービスアクセス制御部が、前記所定サービスからの要求に応じて前記所定サービスの規制条件を前記非アクセスストラタムレイヤに問い合わせるステップと、前記サービスアクセス制御部が、前記非アクセスストラタムレイヤが前記無線リソース制御レイヤから取得した前記規制条件と、前記管理オブジェクトに含まれる前記アクセス規制のポリシーとに基づいて、前記所定サービスの規制内容を決定するステップと、前記サービスアクセス制御部が、取得した前記規制内容に基づいて、前記所定サービスによる発信を許可する場合、許可フラグが追加された前記所定サービスが発信する発信データを前記非アクセスストラタムレイヤに受け渡すステップと、前記非アクセスストラタムレイヤが、前記許可フラグが追加されている場合、前記発信データのアクセス規制の有無を確認することなく、前記発信データを前記無線リソース制御レイヤに受け渡すステップとを備えることを要旨とする。
【００１４】
本発明の第８の特徴は、無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置における通信方法であって、前記非アクセスストラタムレイヤが、前記アクセス規制のポリシーを示す管理オブジェクトを前記移動通信ネットワークから受信するステップと、前記無線リソース制御レイヤが、前記管理オブジェクトの適用範囲を示すポリシー番号と、前記アクセス規制の適用時間を示すタイマ値とを含む前記アクセス規制の起動指令を前記移動通信ネットワークから受信するステップと、前記サービスアクセス制御部が、前記一般アプリケーションからの要求に応じて前記一般アプリケーションの規制条件を前記無線リソース制御レイヤから取得するステップと、前記サービスアクセス制御部が、取得した前記規制条件と、前記管理オブジェクトに含まれる前記アクセス規制のポリシーとに基づいて、前記一般アプリケーションの規制内容を決定するステップと、
前記サービスアクセス制御部が、取得した前記規制条件に基づいて前記一般アプリケーションによる発信を許可する場合、前記発信データを前記無線リソース制御レイヤに受け渡すステップとを備えることを要旨とする。
【発明の効果】
【００１５】
本発明の特徴によれば、既存のサービスレベルでのアクセス規制などを用いつつ、アプリケーション単位のアクセス規制に近い、より柔軟なアクセス規制を実現し得るユーザ装置及び通信方法を提供することができる。
【図面の簡単な説明】
【００１６】
【図１】本発明の実施形態に係る移動通信システム10の全体概略構成図である。
【図２】本発明の第１実施形態に係るUE100の機能ブロック構成図である。
【図３】本発明の第１実施形態に係るESSACによる通信サービス132の規制動作フロー（動作例１）である。
【図４】本発明の第１実施形態に係るESSACによる通信サービス132の規制動作フロー（動作例１）の説明図である。
【図５】本発明の第１実施形態に係るESSACによる一般アプリケーション140の規制動作フロー（動作例２）である。
【図６】本発明の第１実施形態に係るESSACによる一般アプリケーション140の規制動作フロー（動作例２）の説明図である。
【図７】本発明の第２実施形態に係るUE100の機能ブロック構成図である。
【図８】本発明の第２実施形態において用いられるESSACの管理オブジェクトの構成例を示す図である。
【図９】本発明の第２実施形態に係るESSACによる通信サービス132の規制動作フロー（動作例１）である。
【図１０】本発明の第２実施形態に係るESSACによる通信サービス132の規制動作フロー（動作例１）の説明図である。
【図１１】本発明の第２実施形態に係るESSACによる一般アプリケーション140の規制動作フロー（動作例２）である。
【図１２】本発明の第２実施形態に係るESSACによる一般アプリケーション140の規制動作フロー（動作例２）の説明図である。
【発明を実施するための形態】
【００１７】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００１８】
したがって、具体的な寸法などは以下の説明を参酌して判断すべきものである。また、図面相互間においても互いの寸法の関係や比率が異なる部分が含まれていることは勿論である。
【００１９】
［第１実施形態］
まず、本発明の第１実施形態について説明する。具体的には、（１）移動通信システムの全体概略構成、（２）ユーザ装置の機能ブロック構成、（３）ユーザ装置の動作、及び（４）作用・効果について説明する。
【００２０】
（１）移動通信システムの全体概略構成
図１は、本実施形態に係る移動通信システム10の全体概略構成図である。図１に示すように、移動通信システム10は、3rd Generation Partnership Project（3GPP）によって規定された通信方式、具体的には、Long Term Evolution（LTE）に従った移動通信システムであり、移動通信ネットワーク20、運用管理システム30（OPS）、無線基地局40（以下、eNB40）及びユーザ装置100（以下、UE100）を含む。
【００２１】
移動通信ネットワーク20は、eNB40、移動管理ノード（MME）及び外部ネットワークとのゲートウェイ（不図示）などを含む通信ネットワーク、いわゆるPublic Land Mobile Network（PLMN）である。
【００２２】
運用管理システム30は、移動通信ネットワーク20に接続されており、移動通信ネットワーク20を構成するeNB40などの装置やUE100を管理する。特に、本実施形態では、運用管理システム30は、eNB40に対して、UE100の移動通信ネットワーク20に対するアクセス規制を指示する。
【００２３】
eNB40は、UE100と無線通信を実行する無線基地局である。具体的には、eNB40は、LTEに従った無線通信を実行する。また、eNB40は、運用管理システム30から受信したアクセス規制の指示に基づいて、該当するUE100に向けて当該アクセス規制を指示する。
【００２４】
UE100は、eNB40と無線通信を実行するユーザ装置である。UE100は、複数のアプリケーション（例えば、電子メールやウェブブラウジング）やサービス（音声通話やＴＶ電話、或いは災害用伝言板や災害用音声伝言）を実行することができる。また、UE100は、eNB40から受信したアクセス規制に基づいて、移動通信ネットワーク20へのアクセス規制を実行することができる。
【００２５】
具体的には、UE100は、特定の通信に限定することなく全ての種類の通信をアクセスクラスに応じて規制するAccess Class Barring（ACB）、及び低優先度あるいは通常優先度の通信を切り替えて使うUE100（例えば、マシンタイプ通信）に対して移動通信ネットワーク20のオペレータが制御するための仕組みを提供するExtended Access Barring（EAB）、及び所定サービスによる通信を規制するService Specific Access Control（SSAC）を実行することができる。また、本実施形態では、SSACの仕組みを利用しつつ、より柔軟なアクセス規制を実現するESSAC（Extended Service Specific Access Control）が導入されている。
【００２６】
（２）ユーザ装置の機能ブロック構成
図２は、本実施形態に係るユーザ装置（UE100）の機能ブロック構成図である。図２に示すように、UE100は、無線リソース制御レイヤ110（以下、RRCレイヤ110）、非アクセスストラタムレイヤ120（以下、NASレイヤ120）、オペレータ提供サービス130、一般アプリケーション140、ESSACスタック151及びESSACスタック152を備える。なお、UE100は、オペレータ提供サービス130及び一般アプリケーション140が実行可能なオペレーティングシステム（OS）を実装し、CPU、チップ及び汎用メモリなどのハードウェアによって構成される。
【００２７】
RRCレイヤ110は、ESSACパラメータ保持エリア111、ACBパラメータ保持エリア112及びEABパラメータ保持エリア113を備える。ESSACパラメータ保持エリア111には、運用管理システム30から通知されるESSACパラメータが保持される。具体的には、ESSACの起動指令を構成するSystem Information Block（SIB）に含まれる情報要素（IE）が保持される。
【００２８】
ACBパラメータ保持エリア112には、ACBパラメータが保持される。同様に、EABパラメータ保持エリア113には、EABパラメータが保持される。ACBパラメータ及びEABパラメータは、ACB及びEABによるアクセス規制の実行に必要なパラメータ、例えば、アクセス規制時間（タイマ値）やアクセスクラスによって構成される。
【００２９】
RRCレイヤ110は、アクセス規制、具体的には、ACB, EAB, SSACまたはESSACの起動指令を移動通信ネットワーク20から受信する。特に、本実施形態では、RRCレイヤ110は、ESSACの適用時間を示すタイマ値と、オペレータ提供サービス130（所定サービス）による発信データの規制率とを含むESSACの起動指令を移動通信ネットワーク20から受信する。なお、発信データの規制率とは、発信データの送信要求回数に対する拒否回数の比率を示し、例えば、100%は全く許可しないことを意味し、25％とは、４回に１回許可しないことを意味する。なお、規制率は、通過率として定義してもよい。通過率とは、発信データの送信要求回数に対する許可回数の比率を示す。
【００３０】
また、ESSACの起動指令を構成するSIBは、以下のような情報要素（IE）を含む。
【００３１】
（a）SSACのタイマ値及び規制率（または通過率）
（b）オペレータ提供サービス130毎のタイマ値及び規制率（または通過率）
（c）デフォルト用のタイマ値及び規制率（または通過率）
（d）ESSACと、ACBまたはEABとの二重規制回避指示フラグ
なお、（a）は、既存のSSACと同様である。また、（b）については、移動通信ネットワーク20の契約者のUEのみに適用するか、ローミングしているUE（ローミングインユーザ）のみを対象として適用するか、とのオプションを設定できる。（c）は、オペレータ提供サービス130以外の一般アプリケーション140に適用される。
【００３２】
また、RRCレイヤ110は、ESSACスタック151からの規制条件の取得要求に基づいて、ESSACと異なる他のアクセス規制を無効にすることができる。具体的には、RRCレイヤ110は、ESSACスタック151からの規制条件の取得要求に基づいて、ESSAC（及びSSAC）以外のACB及びEABを無効にすることができる。なお、この場合、ESSACの起動指令には、当該他のアクセス規制の無効の必要性を示す情報要素が含まれてもよい。
【００３３】
NASレイヤ120は、無線リソース制御レイヤの上位に位置し、非アクセスストラタムレイヤにおける処理を実行する。特に、本実施形態では、NASレイヤ120は、ESSACスタック152を実装する。NASレイヤ120に実装されるESSACスタック152は、一般アプリケーション140によるアクセス規制を実行する。
【００３４】
また、NASレイヤ120は、オペレータ提供サービス130による発信データに許可フラグが追加されている場合、発信データのアクセス規制の有無を確認することなく、発信データをRRCレイヤ110に受け渡す。
【００３５】
オペレータ提供サービス130は、MMTel131及び通信サービス132を含む。MMTel131は、電話に関するサービスであり、音声通話やＴＶ電話などが該当する。通信サービス132は、移動通信ネットワーク20のオペレータによって提供されるサービスであり、例えば、災害用伝言板や災害用音声伝言のサービスが挙げられる。
【００３６】
一般アプリケーション140は、上述したオペレータ提供サービス130以外のアプリケーションであって、UE100にインストールして実行されるアプリケーションである。一般アプリケーション140には、UE100にプリインストールされているアプリケーション（例えば、電子メールやウェブブラウザ）、及びUE100のユーザによってインストールされるアプリケーション（例えば、ゲーム）が含まれる。
【００３７】
ESSACスタック151は、オペレータ提供サービス130（所定サービス）が発信する発信データの移動通信ネットワーク20へのアクセス規制を制御する。また、ESSACスタック151は、一般アプリケーション140が発信する発信データの移動通信ネットワーク20へのアクセス規制を制御する。本実施形態において、ESSACスタック151は、サービスアクセス制御部を構成する。
【００３８】
ESSACスタック151は、既存のSSACの拡張であり、図２に示すように、NASレイヤ120とオペレータ提供サービス130との間のサービスレベルに位置する。
【００３９】
ESSACスタック151は、オペレータ提供サービス130（例えば、通信サービス132）からの要求に応じて、当該サービス（所定サービス）の規制条件をRRCレイヤ110から取得し、取得した規制条件に基づいて当該サービスによる発信を許可するか否かを判定する。ESSACスタック151は、当該サービスによる発信を許可する場合、当該サービスが発信する発信データに許可フラグを追加し、許可フラグが追加された発信データをNASレイヤ120に受け渡す。
【００４０】
ESSACスタック152は、一般アプリケーション140からの要求に応じて一般アプリケーション140の規制条件をRRCレイヤ110から取得し、取得した規制条件に基づいて当該サービスによる発信を許可するか否かを判定する。ESSACスタック152は、上述したようにNASレイヤ120内に実装される。
【００４１】
ESSACスタック152は、要求のあった一般アプリケーション140による発信を許可する場合、発信データを無線リソース制御レイヤに受け渡す。具体的には、ESSACスタック152は、許可フラグが追加されていない発信データを一般アプリケーション140から受け取った場合、RRCレイヤ110から取得した規制条件に基づいて、当該発信データを許可する場合、当該発信データをRRCレイヤ110に受け渡す。
【００４２】
（３）ユーザ装置の動作
次に、上述したUE100の動作について説明する。具体的には、ESSACによるオペレータ提供サービス130（通信サービス132）の規制動作（動作例１）、及びESSACによる一般アプリケーション140の規制動作（動作例２）について説明する。
【００４３】
（３．１）動作例１
図３は、ESSACによる通信サービス132の規制動作フローである。図４は、ESSACによる通信サービス132の規制動作フローの説明図である。
【００４４】
図３に示すように、まず、移動通信ネットワーク20のオペレータは、ESSACによるアクセス規制の前提として、アクセス規制（ESSAC）の対象となるサービスを定義して登録する（S10）。例えば、災害伝言板など当該オペレータが必要なサービスを定義して登録する。
【００４５】
このようなサービスの定義がなされた状態において、UE100は、ESSACの起動指令を受信したか否かを定期的に判定する（S20）。なお、ESSACの起動指令は、運用管理システム30によって送信され、eNB40からブロードキャストされる（図４の（１））。
【００４６】
UE100は、ESSACの起動指令を受信した場合、ACB及びEABによる規制を無効化し、ESSACの起動指令に含まれるSIBを記憶する（S30）。具体的には、RRCレイヤ110は、ESSACのタイマ値及び規制率など、上述した（a）〜（d）のIEをESSACパラメータ保持エリア111に記憶する。なお、UE100は、ACB及びEABによる規制の無効化を、ACBパラメータ保持エリア112及びEABパラメータ保持エリア113をブロックすることによって実現できる（図４の（２））。
【００４７】
また、UE100は、必ずしもACB及びEABによる規制を無効化しなくてもよい。つまり、ESSACと、ACBまたEABとの二重規制が許容される場合には、複数の規制を同時に適用してもよい。
【００４８】
UE100は、当該サービス（災害伝言板などの通信サービス132）のダイアログ開始（図４の（３））に応じて、当該サービスに対するESSACの規制条件を取得する（S40）。具体的には、ESSACスタック151は、RRCレイヤ110からESSACの規制条件を取得する（図４の（４））。
【００４９】
UE100（ESSACスタック151）は、取得した規制条件に基づいて、当該サービスによる発信を許可するか否かを判定する（S50、図４の（５））。なお、ESSACスタック151は、タイマを起動することによって、取得した規制条件を一定時間保持してもよい。
【００５０】
UE100（ESSACスタック151）は、当該サービスによる発信を許可する場合、当該サービスによる発信データに許可フラグを追加し、許可フラグが追加された発信データをNASレイヤ120に受け渡す（S60、図４の（６））。発信データを受け取ったNASレイヤ120は、許可フラグに基づいてNASレイヤ120におけるアクセス規制の有無のチェックを省略（S70、図４の（７））し、当該発信データをRRCレイヤ110に受け渡す（S80、図４の（８））。
【００５１】
RRCレイヤ110は、受け取った発信データに基づいて、移動通信ネットワーク20への発信を実行する（S90、図４の（９））。
【００５２】
（３．２）動作例２
図５は、ESSACによる一般アプリケーション140の規制動作フローである。図６は、ESSACによる一般アプリケーション140の規制動作フローの説明図である。以下、上述した動作例１と異なる部分について主に説明する。
【００５３】
図５に示すように、ESSACの起動指令を受信したか否かを定期的に判定する（S110、図６の（１））。UE100は、ESSACの起動指令を受信した場合、ACB及びEABによる規制を無効化（図６の（２））し、ESSACの起動指令に含まれるSIBを記憶する（S120）。
【００５４】
UE100は、当該一般アプリケーション（例えば、ゲーム）によるデータ送信（図６の（３））に応じて、当該一般アプリケーションに対するESSACの規制条件を取得する（S130）。具体的には、ESSACスタック152は、RRCレイヤ110からESSACの規制条件を取得する（図６の（４））。
【００５５】
UE100（ESSACスタック152）は、取得した規制条件に基づいて、当該一般アプリケーションによる発信を許可するか否かを判定する（S140、図６の（５））。UE100（ESSACスタック152）は、当該一般アプリケーションによる発信を許可する場合、当該一般アプリケーションによる発信データをNASレイヤ120からRRCレイヤ110に受け渡す（S150、図６の（６））。
【００５６】
（４）作用・効果
UE100によれば、RRCレイヤ110は、ESSACの適用時間を示すタイマ値と、オペレータ提供サービス130による発信データの規制率とを含むESSACの起動指令を移動通信ネットワーク20から受信する。また、ESSACスタック151は、RRCレイヤ110から取得した規制条件に基づいて当該サービスによる発信を許可する場合、当該サービスが発信する発信データに許可フラグを追加し、許可フラグが追加された発信データをNASレイヤ120に受け渡す。さらに、発信データに許可フラグが追加されている場合、発信データのアクセス規制の有無を確認することなく、発信データをRRCレイヤ110に受け渡し、RRCレイヤ110は、当該発信データに基づいて、移動通信ネットワーク20への発信を実行する。
【００５７】
また、UE100によれば、一般アプリケーション140（例えば、ゲーム）についても、ESSACスタック152が一般アプリケーション140の規制条件をRRCレイヤ110から取得し、取得した規制条件に基づいて当該一般アプリケーションによる発信を許可する場合、当該一般アプリケーションによる発信データをRRCレイヤ110に受け渡す。
【００５８】
このため、既存のサービスレベルでのアクセス規制（SSAC）などを用いつつ、アプリケーション単位のアクセス規制に近い、より柔軟なアクセス規制を実現し得る。具体的には、本実施形態に係るUE100によれば、以下のような問題を解決し得る。
【００５９】
まず、3GPPでは、テスト仕様の作成やサービス認証の仕組みが存在するが、特定のアプリケーション毎にアクセス規制を適用するASACでは、アプリケーション毎の規制内容を規定できず仕様も確定することができないが、UE100の場合、SSACの拡張であるため、このような問題は生じない。さらに、ASACの場合、上位レイヤにおいて不正なアクセス規制の制御エンティティがユーザ装置に実装されても、このような制御エンティティを排除することが難しい問題があり、このような制御エンティティによって、ASACが不当に回避される可能性や、ACBが不当に回避される可能性が指摘されていたが、このような問題もない。
【００６０】
また、アクセス規制のタイミングに関して、アプリケーションの起動自体を規制するような動作は適当でなく、当該アプリケーションによる通信のみを規制する動作が好ましく、また、実行中のアプリケーションによる通信を途中で規制するのは望ましくないが、UE100によれば、このような要求を満たし得る。さらに、本実施形態では、ESSACによるアクセス規制が実行される場合には、他のアクセス規制（ACB及びEABなど）が無効化されるため、当該他のアクセス規制との二重規制も回避できる。
【００６１】
［第２実施形態］
次に、本発明の第２実施形態について説明する。本実施形態では、ESSACの起動指令に加えて、ESSACの管理オブジェクト（MO）が利用される。
【００６２】
（１）ユーザ装置の機能ブロック構成
図７は、本実施形態に係るユーザ装置（UE100）の機能ブロック構成図である。以下、上述した第１実施形態と異なる部分について主に説明し、同様の部分については適宜説明を省略する。
【００６３】
図７に示すように、本実施形態に係るUE100は、ESSACの管理オブジェクト（MO）を保持するため、NASレイヤ120にESSAC MO保持エリア121が設けられる。
【００６４】
また、本実施形態では、ESSACの起動指令を構成するSIBは、以下のような情報要素（IE）を含む。
【００６５】
（a）SSACのタイマ値及び規制率（または通過率）
（b）ESSACのタイマ値及び起動対象ポリシー番号
（c）ESSACと、ACBまたはEABとの二重規制回避指示フラグ
図８は、本実施形態において用いられるESSACの管理オブジェクトの構成例を示す。図８に示すように、ESSACの管理オブジェクトは、ポリシー番号と、当該ポリシーの属性と、アクセス規制条件（規制率）とを含む。なお、本実施形態では、ESSACの管理オブジェクトは、OMAのDMに従って規定される。
【００６６】
ポリシー番号は、複数のESSACのポリシーを識別するものである。属性は、当該ポリシーの適用場面などを示すものであり、緊急災害や公共イベント（集会など）などを規定することができる。また、ポリシー番号毎に、Home-PLMN（H-PLMN）またはVisitor-PLMN（V-PLMN）の何れが設定するポリシーであるかを規定することもできる。また、図８に示すように、当該管理オブジェクトは、他のPLMN（例えば、PLMN #C）と共用することもできる。
【００６７】
RRCレイヤ110は、このような管理オブジェクトの適用範囲を示すポリシー番号と、ESSACの適用時間を示すタイマ値とを少なくとも含むESSACの起動指令を移動通信ネットワーク20から受信する。
【００６８】
NASレイヤ120は、このようなESSACのポリシーを示す管理オブジェクトを移動通信ネットワーク20から受信する。また、NASレイヤ120は、オペレータ提供サービス130による発信データに許可フラグが追加されている場合、発信データのアクセス規制の有無を確認することなく、発信データをRRCレイヤ110に受け渡す。
【００６９】
ESSACスタック151は、オペレータ提供サービス130からの要求に応じて当該サービスの規制条件をNASレイヤ120に問い合わせる。ESSACスタック151は、NASレイヤ120がRRCレイヤ110から取得した規制条件と、管理オブジェクトに含まれるアクセス規制のポリシーとに基づいて、オペレータ提供サービス130の規制内容を決定する。さらに、ESSACスタック151は、決定した規制内容に基づいて、当該サービスによる発信を許可する場合、許可フラグが追加された当該サービスが発信する発信データをNASレイヤ120に受け渡す。
【００７０】
また、一般アプリケーション140による発信データの場合、ESSACスタック152は、一般アプリケーション140からの要求に応じて当該一般アプリケーションの規制条件をRRCレイヤ110から取得し、取得した規制条件と、管理オブジェクトに含まれるアクセス規制のポリシーとに基づいて、当該一般アプリケーションの規制内容を決定する。ESSACスタック152は、取得した規制条件に基づいて一般アプリケーション140による発信を許可する場合、当該発信データをRRCレイヤ110に受け渡す。
【００７１】
なお、RRCレイヤ110は、ESSACスタック152からの規制条件の取得要求に基づいて、アクセス規制と異なる他のアクセス規制を無効にすることができる。
【００７２】
（２）ユーザ装置の動作
次に、上述したUE100の動作について説明する。具体的には、ESSACによるオペレータ提供サービス130（通信サービス132）の規制動作（動作例１）、及びESSACによる一般アプリケーション140の規制動作（動作例２）について説明する。
【００７３】
（２．１）動作例１
図９は、ESSACによる通信サービス132の規制動作フローである。図１０は、ESSACによる通信サービス132の規制動作フローの説明図である。以下、図３及び４に示した第１実施形態と異なる部分について説明する。
【００７４】
図９に示すように、本実施形態では、UE100は、ESSACの管理オブジェクト（MO）を受信して保持する（S220、図１０の（１））。また、UE100は、当該サービス（災害伝言板などの通信サービス132）のダイアログ開始（図１０の（４））に応じて、当該サービスに対するESSACの規制条件をNASレイヤ120に問い合わせる（S250、図１０の（６））。
【００７５】
NASレイヤ120は、当該問い合わせに応じて、ESSACの起動指令に含まれるSIB（具体的には、ポリシー番号及びESSACのタイマ値）と、ESSACのMOとに基づく規制条件を応答する（S260、図１０の（７））。
【００７６】
UE100（ESSACスタック151）は、取得した規制条件に基づいて、当該サービスによる発信を許可するか否かを判定する（S270、図１０の（８））。
【００７７】
なお、図１０に示す括弧付きの数字の意味は、図４の同じ位置に示されている括弧付きの数値に対応する本明細書の説明と対応している（以下同）。
【００７８】
（２．２）動作例２
図１１は、ESSACによる一般アプリケーション140の規制動作フローである。図１２は、ESSACによる一般アプリケーション140の規制動作フローの説明図である。
【００７９】
図１１に示すように、UE100（ESSACスタック152）は、ESSACの管理オブジェクト（MO）を受信して保持する（S410、図１２の（１））。また、UE100は、一般アプリケーション140によるデータ送信（図１２の（４））に応じて、当該一般アプリケーションに対するESSACの規制条件をNASレイヤ120に問い合わせる（S440、図１２の（５））。
【００８０】
NASレイヤ120は、RRCレイヤ110からESSACの規制条件を取得するとともに、ESSAC MO保持エリア121に保持されているESSACのポリシーをESSACスタック152に応答する（S450、図１２の（６））。
【００８１】
ESSACスタック152は、ESSACの起動指令に含まれるSIB（具体的には、ポリシー番号及びESSACのタイマ値）と、ESSACのMOとに基づいて、当該一般アプリケーションによるデータ送信を許可するか否かを判定する（S460、図１２の（７））。
【００８２】
（３）作用・効果
本実施形態によるUE100によれば、上述した第１実施形態と同様に、既存のサービスレベルでのアクセス規制（SSAC）などを用いつつ、アプリケーション単位のアクセス規制に近い、より柔軟なアクセス規制を実現し得る。特に、本実施形態では、ESSACの管理オブジェクトが用いられるため、意味づけられたカテゴリ（例えば、緊急災害や公共イベント）におけるアクセス規制にも柔軟に対応することができる。
【００８３】
具体的には、当該カテゴリ（属性）毎に、詳細な規制条件（規制率や通過率など）を規定することができる。
【００８４】
また、UEの他の移動通信ネットワーク（PLMN）へのローミングに関しては、特定の意味付けられたカテゴリ（例えば、緊急災害や公共イベント）における規制では、ローミング中のUEは、ローミング先で同一のサービスを利用できることが現実的と考えられるが、本実施形態では、H-PLMN/V-PLMNを属性とした設定の可能であるため、このような対応も可能となる。例えば、ローミングしているUEが、災害伝言板のサービスを利用できない場合、当該UEは、アクセス規制の内容によっては何ら通信ができない状態に陥るが、H-PLMN用のポリシー（H-PLMNが設定し、V-PLMNは変更しないポリシー）が設定可能なため、当該UEは、例えばショートメッセージサービス（SMS）のみは許可するといった規制を実行することも可能となる。
【００８５】
［その他の実施形態］
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００８６】
例えば、上述した本発明の第２実施形態では、ESSACの起動指令を構成するSIBとMOの構成については説明したが、当該SIBに含まれる情報要素（IE）は、例示であり、他の組合せであってもよい。例えば、MOのポリシー番号をサービスIDとし、サービスID自体に規制率の概念を埋め込む、あるいは、ESSACのタイマ値をMOに含む、といった構成であっても構わない。
【００８７】
上述した第１実施形態及び第２実施形態では、LTEを例として説明したが、本発明は、LTE以外の無線アクセス技術（例えば、3G）に適用しても構わない。
【００８８】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【００８９】
また、上述した本発明の特徴は、以下のように表現してもよい。すなわち、本発明の第１の特徴は、RRCレイヤ110（無線リソース制御レイヤ）と、前記無線リソース制御レイヤの上位に位置するNASレイヤ120（非アクセスストラタムレイヤ）と、サービスレベルに位置しオペレータ提供サービス130（所定サービス）が発信する発信データの移動通信ネットワーク20（移動通信ネットワーク）へのアクセス規制を制御するESSACスタック151（サービスアクセス制御部）とを備えるUE100（ユーザ装置）であって、前記無線リソース制御レイヤは、前記アクセス規制の適用時間を示すタイマ値と、前記発信データの規制率とを含む前記アクセス規制の起動指令を前記移動通信ネットワークから受信し、前記サービスアクセス制御部は、前記所定サービスからの要求に応じて前記所定サービスの規制条件を前記無線リソース制御レイヤから取得し、取得した前記規制条件に基づいて、前記所定サービスによる発信を許可する場合、許可フラグが追加された前記所定サービスが発信する発信データを前記非アクセスストラタムレイヤに受け渡し、前記非アクセスストラタムレイヤは、前記許可フラグが追加されている場合、前記発信データのアクセス規制の有無を確認することなく、前記発信データを前記無線リソース制御レイヤに受け渡すことを要旨とする。
【００９０】
本発明の第２の特徴は、RRCレイヤ110（無線リソース制御レイヤ）と、前記無線リソース制御レイヤの上位に位置するNASレイヤ120（非アクセスストラタムレイヤ）と、前記非アクセスストラタムレイヤ内に位置し一般アプリケーション140（一般アプリケーション）が発信する発信データの移動通信ネットワーク20（移動通信ネットワーク）へのアクセス規制を制御するESSACスタック152（サービスアクセス制御部）とを備えるUE100（ユーザ装置）であって、前記無線リソース制御レイヤは、前記アクセス規制の適用時間を示すタイマ値と、前記発信データの規制率とを含む前記アクセス規制の起動指令を前記移動通信ネットワークから受信し、前記サービスアクセス制御部は、前記一般アプリケーションからの要求に応じて前記一般アプリケーションの規制条件を前記無線リソース制御レイヤから取得し、取得した前記規制条件に基づいて前記一般アプリケーションによる発信を許可する場合、前記発信データを前記無線リソース制御レイヤに受け渡すことを要旨とする。
【００９１】
本発明の第３の特徴は、RRCレイヤ110（無線リソース制御レイヤ）と、前記無線リソース制御レイヤの上位に位置するNASレイヤ120（非アクセスストラタムレイヤ）と、サービスレベルに位置しオペレータ提供サービス130（所定サービス）が発信する発信データの移動通信ネットワーク20（移動通信ネットワーク）へのアクセス規制を制御するESSACスタック151（サービスアクセス制御部）とを備えるUE100（ユーザ装置）であって、前記非アクセスストラタムレイヤは、前記アクセス規制のポリシーを示す管理オブジェクトを前記移動通信ネットワークから受信し、前記無線リソース制御レイヤは、前記管理オブジェクトの適用範囲を示すポリシー番号と、前記アクセス規制の適用時間を示すタイマ値とを含む前記アクセス規制の起動指令を前記移動通信ネットワークから受信し、前記サービスアクセス制御部は、前記所定サービスからの要求に応じて前記所定サービスの規制条件を前記非アクセスストラタムレイヤに問い合わせ、前記非アクセスストラタムレイヤが前記無線リソース制御レイヤから取得した前記規制条件と、前記管理オブジェクトに含まれる前記アクセス規制のポリシーとに基づいて、前記所定サービスの規制内容を決定し、取得した前記規制内容に基づいて、前記所定サービスによる発信を許可する場合、許可フラグが追加された前記所定サービスが発信する発信データを前記非アクセスストラタムレイヤに受け渡し、前記非アクセスストラタムレイヤは、前記許可フラグが追加されている場合、前記発信データのアクセス規制の有無を確認することなく、前記発信データを前記無線リソース制御レイヤに受け渡すことを要旨とする。
【００９２】
本発明の第４の特徴は、RRCレイヤ110（無線リソース制御レイヤ）と、前記無線リソース制御レイヤの上位に位置するNASレイヤ120（非アクセスストラタムレイヤ）と、前記非アクセスストラタムレイヤ内に位置し一般アプリケーション140（一般アプリケーション）が発信する発信データの移動通信ネットワーク20（移動通信ネットワーク）へのアクセス規制を制御するESSACスタック152（サービスアクセス制御部）とを備えるUE100（ユーザ装置）であって、前記非アクセスストラタムレイヤは、前記アクセス規制のポリシーを示す管理オブジェクトを前記移動通信ネットワークから受信し、前記無線リソース制御レイヤは、前記管理オブジェクトの適用範囲を示すポリシー番号と、前記アクセス規制の適用時間を示すタイマ値とを含む前記アクセス規制の起動指令を前記移動通信ネットワークから受信し、前記サービスアクセス制御部は、前記一般アプリケーションからの要求に応じて前記一般アプリケーションの規制条件を前記無線リソース制御レイヤから取得し、取得した前記規制条件と、前記管理オブジェクトに含まれる前記アクセス規制のポリシーとに基づいて、前記一般アプリケーションの規制内容を決定し、取得した前記規制条件に基づいて前記一般アプリケーションによる発信を許可する場合、前記発信データを前記無線リソース制御レイヤに受け渡すことを要旨とする。
【００９３】
本発明の第１乃至第４の特徴において、前記無線リソース制御レイヤは、前記規制条件の取得要求に基づいて、前記アクセス規制と異なる他のアクセス規制を無効にしてもよい。また、前記起動指令は、前記他のアクセス規制の無効の必要性を示す情報要素を含んでもよい。
【００９４】
本発明の第３または第４の特徴において、前記管理オブジェクトは、前記ポリシーの番号と、前記ポリシーの属性と、前記アクセス規制の条件とを含んでもよい。
【００９５】
本発明の第５の特徴は、無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部を備えるユーザ装置における通信方法であって、前記無線リソース制御レイヤが、前記アクセス規制の適用時間を示すタイマ値と、前記発信データの規制率とを含む前記アクセス規制の起動指令を前記移動通信ネットワークから受信するステップと、前記サービスアクセス制御部が、前記所定サービスからの要求に応じて前記所定サービスの規制条件を前記無線リソース制御レイヤから取得するステップと、前記サービスアクセス制御部が、取得した前記規制条件に基づいて、前記所定サービスによる発信を許可する場合、許可フラグが追加された前記所定サービスが発信する発信データを前記非アクセスストラタムレイヤに受け渡すステップと、前記非アクセスストラタムレイヤが、前記許可フラグが追加されている場合、前記発信データのアクセス規制の有無を確認することなく、前記発信データを前記無線リソース制御レイヤに受け渡すステップと
を備えることを要旨とする。
【００９６】
本発明の第６の特徴は、無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置における通信方法であって、前記無線リソース制御レイヤが、前記アクセス規制の適用時間を示すタイマ値と、前記発信データの規制率とを含む前記アクセス規制の起動指令を前記移動通信ネットワークから受信するステップと、
前記サービスアクセス制御部が、前記一般アプリケーションからの要求に応じて前記一般アプリケーションの規制条件を前記無線リソース制御レイヤから取得するステップと、前記サービスアクセス制御部が、取得した前記規制条件に基づいて前記一般アプリケーションによる発信を許可する場合、前記発信データを前記無線リソース制御レイヤに受け渡すステップとを備えることを要旨とする。
【００９７】
本発明の第７の特徴は、無線リソース制御レイヤと、前記無線リソース制御レイヤの上位に位置する非アクセスストラタムレイヤと、サービスレベルに位置し所定サービスが発信する発信データの移動通信ネットワークへのアクセス規制を制御するサービスアクセス制御部とを備えるユーザ装置における通信方法であって、前記非アクセスストラタムレイヤは、前記アクセス規制のポリシーを示す管理オブジェクトを前記移動通信ネットワークから受信するステップと、前記無線リソース制御レイヤが、前記管理オブジェクトの適用範囲を示すポリシー番号と、前記アクセス規制の適用時間を示すタイマ値とを含む前記アクセス規制の起動指令を前記移動通信ネットワークから受信するステップと、前記サービスアクセス制御部が、前記所定サービスからの要求に応じて前記所定サービスの規制条件を前記非アクセスストラタムレイヤに問い合わせるステップと、前記サービスアクセス制御部が、前記非アクセスストラタムレイヤが前記無線リソース制御レイヤから取得した前記規制条件と、前記管理オブジェクトに含まれる前記アクセス規制のポリシーとに基づいて、前記所定サービスの規制内容を決定するステップと、前記サービスアクセス制御部が、取得した前記規制内容に基づいて、前記所定サービスによる発信を許可する場合、許可フラグが追加された前記所定サービスが発信する発信データを前記非アクセスストラタムレイヤに受け渡すステップと、前記非アクセスストラタムレイヤが、前記許可フラグが追加されている場合、前記発信データのアクセス規制の有無を確認することなく、前記発信データを前記無線リソース制御レイヤに受け渡すステップとを備えることを要旨とする。
【００９８】
本発明の第８の特徴は、無線リソース制御レイヤと、前記無線リソース制御レイヤの上位に位置する非アクセスストラタムレイヤと、前記非アクセスストラタムレイヤ内に位置し一般アプリケーションが発信する発信データの移動通信ネットワークへのアクセス規制を制御するサービスアクセス制御部とを備えるユーザ装置における通信方法であって、前記非アクセスストラタムレイヤが、前記アクセス規制のポリシーを示す管理オブジェクトを前記移動通信ネットワークから受信するステップと、前記無線リソース制御レイヤが、前記管理オブジェクトの適用範囲を示すポリシー番号と、前記アクセス規制の適用時間を示すタイマ値とを含む前記アクセス規制の起動指令を前記移動通信ネットワークから受信するステップと、前記サービスアクセス制御部が、前記一般アプリケーションからの要求に応じて前記一般アプリケーションの規制条件を前記無線リソース制御レイヤから取得するステップと、前記サービスアクセス制御部が、取得した前記規制条件と、前記管理オブジェクトに含まれる前記アクセス規制のポリシーとに基づいて、前記一般アプリケーションの規制内容を決定するステップと、
前記サービスアクセス制御部が、取得した前記規制条件に基づいて前記一般アプリケーションによる発信を許可する場合、前記発信データを前記無線リソース制御レイヤに受け渡すステップとを備えることを要旨とする。
【符号の説明】
【００９９】
10…移動通信システム
20…移動通信ネットワーク
30…運用管理システム
40…eNB
100…UE
110…RRCレイヤ
111…ESSACパラメータ保持エリア
112…ACBパラメータ保持エリア
113…EABパラメータ保持エリア
120…NASレイヤ
121…ESSAC MO保持エリア
130…オペレータ提供サービス
131…MMTel
132…通信サービス
140…一般アプリケーション
151, 152…ESSACスタック
【図１】
2015015562.tif 000003
【図２】
2015015562.tif 000004
【図３】
2015015562.tif 000005
【図４】
2015015562.tif 000006
【図５】
2015015562.tif 000007
【図６】
2015015562.tif 000008
【図７】
2015015562.tif 000009
【図８】
2015015562.tif 000010
【図９】
2015015562.tif 000011
【図１０】
2015015562.tif 000012
【図１１】
2015015562.tif 000013
【図１２】
2015015562.tif 000014